(57)【要約】ラジオチャンネルの下側波帯に第１の複数のサブキャリアを含むＦＭデジタル音声放送信号を受信する方法は、デジタル音声放送信号を局部発振器（１１２）信号と混合して中間周波数信号（１１４）を発生させ、バンドパスフィルタ（１１６）を通してフィルタリング済み信号を発生させ、デジタル音声放送信号の上側波帯及び下側波帯のうちの一方が毀損状態にあるか否かを判定し、局部周波数発振器（１１２）信号を調整して、バンドパスフィルタ（１１６）が毀損された上側波帯または下側波帯のサブキャリアを除去するように中間周波数（１１４）の周波数を変化させるステップより成る。この方法に従ってデジタル音声放送信号を処理する受信機も提供される。
2005524327.tif 000002
【特許請求の範囲】
【請求項１】
ラジオチャンネルの上側波帯の第１の複数のサブキャリアと、ラジオチャンネルの下側波帯の第２の複数のキャリアとを含むＦＭデジタル音声放送信号を受信する方法であって、
デジタル音声放送信号を局部発振器信号と混合して中間周波数信号を発生させ、
中間周波数信号をバンドパスフィルタに通してフィルタリング済み信号を発生させ、
デジタル音声放送信号の上側波帯及び下側波帯のうちの一方が毀損状態にあるか否かを判定し、
局部周波数発振器信号に周波数オフセットを加えて中間周波数信号の周波数を変化させることにより、バンドパスフィルタに毀損された上側波帯または下側波帯のサブキャリアを除去させるステップより成るＦＭデジタル音声放送信号の受信方法。
【請求項２】
デジタル音声放送信号の上側波帯及び下側波帯のうちの一方が毀損状態にあるか否かを判定するステップは、
フィルタリング済み信号をデジタル信号に変換し、
デジタル信号を上及び下ベースバンド信号に変換し、
上ベースバンド信号と下ベースバンド信号とを比較し、
その比較に基づき周波数オフセットを選択するステップより成る請求項１の方法。
【請求項３】
上ベースバンド信号と下ベースバンド信号とを比較するステップは、
上及び下ベースバンド信号をそれぞれ二乗して二乗上側波帯信号及び二乗下側波帯信号を発生させ、
二乗上側波帯信号にフィルタリングを施してフィルタリング済み上側波帯信号を発生させ、
二乗下側波帯信号にフィルタリングを施してフィルタリング済み下側波帯信号を発生させ、
フィルタリング済み上側波帯信号とフィルタリング済み下側波帯信号とを比較するステップより成る請求項２の方法。
【請求項４】
フィルタリング済み上側波帯信号とフィルタリング済み下側波帯信号とを比較するステップは、
上側波帯信号のパワーが第１の所定係数だけ下側波帯信号のパワーより大きいか否かを判定し、
下側波帯信号のパワーが第２の所定係数だけ上側波帯信号のパワーより大きいか否かを判定するステップより成る請求項３の方法。
【請求項５】
第１及び第２の所定係数はそれぞれ１０００である請求項４の方法。
【請求項６】
フィルタリング済み信号をデジタル化してデジタルフィルタリング済み信号を発生させ、
デジタルフィルタリング済み信号をベースバンド信号に変換し、
ベースバンド信号から周波数オフセットを除去するステップをさらに含む請求項１の方法。
【請求項７】
ベースバンド信号から周波数オフセットを除去するステップは、
負の周波数オフセットをデジタルダウンコンバータに適用するステップより成る請求項６の方法。
【請求項８】
ＦＭデジタル音声放送信号は約４００ｋＨｚの帯域幅を占有し、
上側波帯はチャンネルの中心から約＋１００ｋＨｚ乃至＋２００ｋＨｚ離れたところにあり、
下側波帯はチャンネルの中心から約−１００ｋＨｚ乃至−２００ｋＨｚ離れたところにある請求項１の方法。
【請求項９】
ラジオチャンネルの上側波帯の第１の複数のサブキャリアと、ラジオチャンネルの下側波帯の第２の複数のキャリアとを含むＦＭデジタル音声放送信号の受信機であって、
デジタル音声放送信号を局部発振器信号と混合して中間周波数信号を発生させる混合器と、
中間周波数信号にフィルタリングを施してフィルタリング済み信号を発生させるバンドパスフィルタと、
デジタル音声放送信号の上側波帯及び下側波帯のうちの一方が毀損状態にあるか否かを判定し、中間周波数信号の周波数が変化するように局部周波数発振器を制御してバンドパスフィルタに毀損された上側波帯または下側波帯のサブキャリアを除去させる手段と、
フィルタリング済み信号を処理して出力信号を発生させる手段とより成る受信機。
【請求項１０】
デジタル音声放送信号の上側波帯及び下側波帯のうちの一方が毀損状態にあるか否かを判定する手段は、
フィルタリング済み信号をデジタル信号に変換するアナログ−デジタルコンバータと、
デジタル信号を上及び下ベースバンド信号に変換するダウンロードコンバータと、
上ベースバンド信号と下ベースバンド信号の大きさを比較する手段とより成る請求項９の受信機。
【請求項１１】
上ベースバンド信号と下ベースバンド信号の大きさを比較する手段は、
上及び下ベースバンド信号をそれぞれ二乗しフィルタリングを施してフィルタリング済み上側波帯信号及びフィルタリング済み下側波帯信号を発生させる手段と、
フィルタリング済み上ベースバンド信号がフィルタリング済み下ベースバンド信号より第１の所定係数だけ大きい時は第１の周波数オフセット信号を発生させ、フィルタリング済み下ベースバンド信号がフィルタリング済み上ベースバンド信号より第２の所定係数だけ大きい時は第２の周波数オフセット信号を発生させる手段とより成る請求項１０の受信機。
【請求項１２】
第１の周波数オフセット信号及び第２の周波数オフセット信号のうちの一方の負の信号をダウンコンバータに適用する手段をさらに備えた請求項１０の受信機。
【発明の詳細な説明】
【背景技術】
【０００１】
本発明は、デジタル音声放送（ＤＡＢ）信号を受信する方法及び装置に係り、さらに詳細には、ＤＡＢ信号の隣接チャンネル干渉を軽減するかかる方法及び装置に係る。
【０００２】
デジタル音声放送は、既存の放送フォーマットより優れたデジタル音質の音声を提供するためのメディアである。ＡＭ信号とＦＭ ＤＡＢ信号は共に、デジタル変調された信号が現在放送中のＡＭまたはＦＭ信号と共存するハイブリッドフォーマットか、またはアナログ信号が存在しない全デジタルフォーマットにより送信することができる。インバンドオンチャンネル（ＩＢＯＣ） ＤＡＢシステムは、各ＤＡＢ信号が既存のＡＭまたはＦＭチャンネルに割当てられたスペクトルマスク内で同時に送信させるため新しいスペクトルの割当ては不要である。ＩＢＯＣシステムは、放送者がかれらの現在の視聴者ベースにデジタル音質の音声を供給できるようにしながらスペクトル経済性を改善するものである。幾つかのＩＢＯＣ ＤＡＢ方式は提案されている。
【０００３】
ＦＭ ＤＡＢシステムは、米国特許第６，２５９，８９３；６，１７８，３１７；６，１０８，８１０；５，９４９，７９６；５，４６５，３９６；５，３１５，５８３；５，２７８，８４４及び５，２７８，８２６号を含む幾つかの米国特許の主題である。１つのＦＭ ＩＢＯＣ ＤＡＢシステムとして、アナログ変調ホストＦＭキャリアにより占有されるスペクトルの上方及び下方においてＦＭ中心周波数から約１２９ｋＨｚ乃至１９９ｋＨｚ離れた領域に直交周波数分割多重化（ＯＦＤＭ）サブキャリアを含む複合信号を使用するものがある。幾つかのＩＢＯＣ方式（例えば、全デジタル方式）では、中心周波数から１００ｋＨｚしか離れないサブキャリアから始めることができる。
【０００４】
ＤＡＢ信号のデジタル部分は、例えば、ハイブリッドＩＢＯＣ ＤＡＢシステムの第１の隣接するＦＭ信号またはホスト信号による干渉を受けやすい。ＦＭデジタル音声放送信号を干渉に耐え得るように設計する方法が多数ある。最も重要なことは、デジタル情報は下側波帯と上側波帯の両方で送信されるということである。デジタル側波帯は中心キャリア周波数からほとんど２００ｋＨｚまで拡がっている。従って、典型的なＦＭ受信機の中間周波数（ＩＦ）フィルタは、少なくとも±４００ｋＨｚのフラットな帯域幅を持つ必要がある。提案された第１隣接信号キャンセラ（ＦＡＣ）方式の１つとして、第１隣接信号を効果的に抑制するには中心周波数から約±２７５ｋＨｚにわたるほぼフラットな応答を必要とするものがある。これには、通常、フラットな帯域幅が少なくとも５５０ｋＨｚのＩＦフィルタが必要である。第１隣接信号キャンセレーション方式は、本願の一部として引用する米国特許第６，２５９，８９３号に記載されている。
【０００５】
ＤＡＢシステムは、デジタル情報を上側波帯と下側波帯の両方にわたって拡散させる特別設計の前方エラー訂正（ＦＥＣ）コードを使用する。このデジタル情報はいずれかの側波帯から取り出すことが可能である。しかしながら、両方の側波帯を受信する場合、上側波帯と下側波帯の両方からのコードを組み合わせると改善された出力信号を発生させることができる。
【０００６】
ＦＭステーションは、望ましくない隣接チャンネルの公称受信パワーがその保護曲線またはカバレッジ領域の端縁部において所望のステーションのパワーより少なくとも６ｄＢだけ低くなるように地理的に配置される。こうすると、Ｄ／Ｕ（望ましくないパワーに対する望ましいパワーのデシベル比）は少なくとも６ｄＢである。しかしながら、このルールには例外があり、視聴者は保護曲線を超えた干渉レベルが高くなる蓋然性を増加させるカバレッジを期待する。
【０００７】
ステーションのカバレッジの端縁部では、所望のカバレッジ領域内で第２の隣接する公称パワーがホストの公称パワーより有意に大きく（例えば、４０ｄＢ）なることがある。これは、動的レンジが制限される受信機のＩＦ部分にとって問題となり得る。ＩＦはＩＢＯＣ ＤＡＢ信号がアナログからデジタルに変換されるところにある。アナログ−デジタル（Ａ／Ｄ）コンバータのサンプルレートと有効ビット数はＩＦセクションの動的レンジを制限する。
【０００８】
ＢビットＡ／Ｄコンバータは、約（１．７６＋６*Ｂ）ｄＢの理論的瞬時動的レンジ（ナイキスト帯域幅における最大正弦波と雑音の比率）を有する。この説明では、実際のＡ／Ｄコンバータが分解能ビット当たり６ｄＢの動的レンジを有すると仮定する。対象となる信号をオーバーサンプリングすると、量子化ノイズがＡ／Ｄの大きいナイキスト帯域幅にわたって拡散されることにより実効動的レンジを改善できる。その結果、サンプルレートを４倍する毎に動的レンジが１ビットだけ増加する。一方、クリッピングを受け入れ可能なレベルに制限するためにＡ／Ｄサンプリングにおいてヘッドルームを幾分設ける必要がある。
【０００９】
ＩＢＯＣ ＤＡＢの実例として、ナイキスト帯域幅の瞬時動的レンジが４８ｄＢである８ビットのＡ／Ｄを想定する。さらに、ＡＧＣにおけるピーク対平均比率のヘッドルームが１２ｄＢであり、フェージング及びＡＧＣ“スロップ”に対するマージンをさらに１０ｄＢとると想定する。オーバーサンプリング比を２５６にすると、信号帯域幅における実効動的レンジを１２ｄＢだけ増加できる（事実上、Ａ／Ｄヘッドルームロスが相殺される）。そうすると、ＩＢＯＣ信号帯域幅における実効ＩＦ動的レンジは約４８ｄＢからフェージングに対する１０ｄＢのマージンを引いた約３８ｄＢとなる。フェージングなしにＩＢＯＣ ＤＡＢ信号を検波するために信号帯域幅における２８ｄＢの瞬時信号動的レンジが必要な場合には、ＩＦとＡ／Ｄにおいて約１０ｄＢのマージンが存在する。このマージンは、Ａ／Ｄ変換前にアナログＩＦフィルタに到来する第２の大きな隣接信号により消費されることがある。
【００１０】
良好な選択性を有するＩＦフィルタは、ＦＭ中心周波数から４００ｋＨｚ離れた第２の隣接するアナログＦＭ信号を抑制するが、中心周波数から２００乃至２７０ｋＨｚ離れたそのＩＢＯＣ側波帯はそのフィルタを通過するというのは合理的な想定である。第２の隣接する干渉波が約＋２０ｄＢより大きい場合、Ａ／Ｄの動的レンジ要件は２０ｄＢを超える余分な第２隣接信号レベルにより増加する。例えば、第２の隣接する干渉波が＋５０ｄＢである場合、最小動的レンジを超えて増加した要件は３０ｄＢである。即ち、最小動的レンジよりＡ／Ｄ分解能でさらに約５ビット大きい。しかしながら、Ａ／Ｄのビットを増加させる強引な方法以外に動的レンジの問題に対処する方法がある。
【００１１】
第２の隣接する干渉波が対象となる信号より＋３０ｄＢ大きい場合、帯域外の電波によりその側のデジタル側波帯が毀損される可能性が高い。そのレベルでの毀損によりその側波帯は使用不可になるため、Ａ／Ｄ変換前にフィルタリングによりその側波帯を除去するのが好ましい。第２の大きな隣接信号をフィルタリングにより除去すると実効動的レンジが復元されるため、分解能ビットを増やす必要がなくなる。この問題に対処する１つの方法は、Ａ／Ｄコンバータの前のＩＦフィルタリングのために異なるパスバンドを有する１組の選択可能なフィルタを設けることである。
【００１２】
多数のフィルタの使用は良い技術的解決法となり得るが、受信機コストは別に設けるフィルタ及びスイッチ分だけ増加する。フィルタの精度がコストに影響することもある。
【００１３】
ＩＢＯＣ ＤＡＢ信号の第１の隣接する干渉波による影響を最小限に抑える改良型方法が求められている。
【発明の概要】
【００１４】
本発明は、ラジオチャンネルの上側波帯の第１の複数のサブキャリアと、ラジオチャンネルの下側波帯の第２の複数のキャリアとを含むＦＭデジタル音声放送信号を受信する方法を提供する。この方法は、デジタル音声放送信号を局部発振器信号と混合して中間周波数信号を発生させ、中間周波数信号をバンドパスフィルタに通してフィルタリング済み信号を発生させ、デジタル音声放送信号の上側波帯及び下側波帯のうちの一方が毀損状態にあるか否かを判定し、局部周波数発振器信号を調整して中間周波数信号の周波数を変化させることにより、バンドパスフィルタに毀損された上側波帯または下側波帯のサブキャリアを除去させるステップより成る。
【００１５】
本発明はまた、ラジオチャンネルの上側波帯の第１の複数のサブキャリアと、ラジオチャンネルの下側波帯の第２の複数のキャリアとを含むＦＭデジタル音声放送信号の受信機を包含する。この受信機は、デジタル音声放送信号を局部発振器信号と混合して中間周波数信号を発生させる混合器と、中間周波数信号にフィルタリングを施してフィルタリング済み信号を発生させるバンドパスフィルタと、デジタル音声放送信号の上側波帯及び下側波帯のうちの一方が毀損状態にあるか否かを判定し、中間周波数信号の周波数が変化するように局部周波数発振器を制御してバンドパスフィルタに毀損された上側波帯または下側波帯のサブキャリアを除去させる手段と、フィルタリング済み信号を処理して出力信号を発生させる手段とより成る。
【実施例】
【００１６】
添付図面を参照して、図１は、ハイブリッドＦＭ ＩＢＯＣ ＤＡＢ信号１０の周波数割当て（スペクトル配置）及び信号成分の相対的パワースペクトル密度を示す概略図である。このハイブリッドフォーマットは、チャンネルの中央または中心周波数バンド１６の部分において三角形１４で表されるパワースペクトル密度を有する従来のＦＭステレオアナログ信号１２を含む。典型的なＦＭ放送信号のパワースペクトル密度（ＰＳＤ）は、中心周波数からの傾きが約−０．３５ｄＢ／ｋＨｚであるほとんど三角形の形状である。等間隔の複数のデジタル変調サブキャリアは、アナログＦＭ信号の両側の上側波帯１８と下側波帯２０に配置され、アナログＦＭ信号と同時に送信される。全てのキャリアは、米国連邦通信委員会のチャンネルマスク２２内に収まるパワーレベルで送信される。
【００１７】
ハイブリッドＦＭ ＩＢＯＣ変調フォーマットの一例において、９５個の等間隔直交周波数分割多重化（ＯＦＤＭ）デジタル変調サブキャリアは、図１の上側波帯１８及び下側波帯２０で示すようにホストアナログＦＭ信号の両側にあってホストＦＭ中心周波数から約１２９ｋＨｚ乃至１９８ｋＨｚ離れたスペクトルを占有する。ハイブリッドシステムにおける各側波帯のＯＦＤＭデジタル変調サブキャリアの全ＤＡＢパワーは、ホストアナログＦＭパワーに対して約−２５ｄＢに設定される。
【００１８】
隣接ＦＭチャンネル（存在すれば）からの信号（即ち、第１隣接ＦＭ信号）は、対象となるチャンネルの中心から２００ｋＨｚ離れた所に中心を有する。図２は、ハイブリッドＤＡＢ信号１０と、中心がその信号１０の中心より２００ｋＨｚ上方の第１隣接干渉波２４のスペクトルを示す図であり、この干渉波２４はアナログ変調信号２６と、対象となる信号（信号１０のデジタル変調サブキャリア）に対して約−６ｄＢのレベルの側波帯２８及び３０の複数のデジタル変調サブキャリアとを有する。図２は、ＤＡＢ上側波帯１８が第１隣接干渉波のアナログ変調信号により毀損された状態を示す。
【００１９】
図３は、中心が対象となる信号の中心周波数の４００ｋＨｚ上方にあり、この対象となる信号に対して＋２０ｄＢの第２隣接信号３２による干渉シナリオを示す略示する。この第２隣接信号は、アナログ変調信号３４と、下側波帯３６の複数のデジタル変調サブキャリアとを含む。第２隣接信号の上側波帯はこの図には図示しない。
【００２０】
図４は、本発明に従って構成された受信機１００のブロック図である。アンテナ１０２は、対象となる信号としてアナログ変調ＦＭキャリアと、このアナログ変調ＦＭキャリアの上及び下側波帯にある複数のＯＦＤＭデジタル変調サブキャリアとを含むインバンドオンチャンネルデジタル音声放送信号を受ける手段として働く。受信機は、周知技術に従って構成されたフロントエンド回路１０４を有する。フロントエンドからのライン１０６上の信号は、局部発振器１１２からのライン１１０上の信号とミキサー１０８で混合され、ライン１１４上に中間周波数（ＩＦ）信号を発生させる。このＩＦ信号は、バンドパスフィルタ１１６を通過した後、アナログ−デジタルコンバータ１１８によりデジタル化される。デジタルダウンコンバータ１２０は、複合信号の同相成分と直角位相ベースバンド成分とを発生する。この複合信号はその後、ＦＭ隔離フィルタ１２２により、ライン１２４上のアナログＦＭ成分と、ライン１２６及び１２８上のＤＡＢ上側波帯及び下側波帯成分とに分離される。アナログＦＭステレオ信号は、ブロック１３０で示すようにデジタル復調及び逆多重化され、ライン１３２上にサンプリング済みステレオ音声信号を発生させる。
【００２１】
ＤＡＢ上側波帯及び下側波帯は、最初に、隔離フィルタの後で別々に処理される。ライン１２６上のベースバンド上側波帯ＤＡＢ信号及びライン１２８上のベースバンド下側波帯ＤＡＢ信号は、第１隣接干渉波による影響を軽減するために、ブロック１３４及び１３６に示すように第１隣接キャンセラにより処理される。その結果ライン１３８及び１４０上に生じる信号は、ブロック１４２及び１４４で示すように復調される。復調後、上側波帯及び下側波帯は結合され、その後デフレイマ１４６によるデフレーミング処理を受ける。次に、ＤＡＢ信号は、ブロック１４８で示すようにＦＥＣ復号化及びデインターリービング処理を受ける。音声復号器１５０はこの音声信号を復元する。その後、ライン１５２上の音声信号はブロック１５４において遅延され、ライン１５６上のＤＡＢステレオ信号がライン１３２上のサンプリング済みアナログＦＭステレオ信号と同期するようになる。その後、ＤＡＢステレオ信号及びサンプリング済みアナログＦＭステレオ信号は、ブロック１５８で示すように混合され、ライン１６０上に混合済み音声信号を発生させる。
【００２２】
隣接チャンネルによる干渉を除去するために、本発明に従って構成された受信機は周波数オフセット制御器１６２を有する。この周波数オフセット制御器は、ＤＡＢ上側波帯及び下側波帯の相対的パワーを予測し、同調可能局部発振器を周波数オフセットさせるか否かの判断をする。オフセットがもしあれば、ライン１６４で示すように同調可能局部発振器に加えられ、このオフセットの負の信号がライン１６６に示すようにデジタルダウンコンバータに加えられる。
【００２３】
図５は、周波数オフセット制御器１６２の実施例を示す。ライン１２６及び１２８上の入力信号は、隔離フィルタ１２２から出たＤＡＢ上側波帯及び下側波帯である。
【００２４】
周波数オフセット制御器は、入力の相対的パワーを測定するために二乗及びローパスフィルタリング（ＬＰＦ）技術を利用する。ライン１２６上のＤＡＢ上側波帯信号は、ブロック１６８に示すように二乗された後、ブロック１７０で示すようにローパスフィルタリングを施され、ライン１７２上にフィルタリング済み上側波帯信号Ｕを発生させる。ライン１２８上のＤＡＢ下側波帯信号は、ブロック１７４で示すように二乗された後、ブロック１７６に示すようにローパスフィルタリングを施され、ライン１７８上にフィルタリング済み上側波帯信号Ｌを発生させる。ローパスフィルタは、時定数が１秒のオーダーの簡単な高減衰積分器でよい。
【００２５】
周波数オフセットΔｆは、ブロック１８０で示すようにフィルタリング済み上側波帯及び下側波帯信号のパワーを比較して求める。例えば、フィルタリング済み上側波帯信号のパワーがフィルタリング済み下側波帯信号のパワーの１０００倍よりも大きい場合、周波数オフセットは１００ｋＨｚにセットされる。フィルタリング済み下側波帯のパワーがフィルタリング済み上側波帯のパワーより１０００倍以上ある場合、周波数オフセットは−１００ｋＨｚにセットされる。フィルタリング済み上側波帯信号のパワーがフィルタリング済み下側波帯信号のパワーの１０００倍よりも小さい場合、またフィルタリング済み下側波帯信号のパワーがフィルタリング済み上側波帯信号のパワーの１０００倍よりも小さい場合、周波数オフセットはゼロにセットされる。Δｆの値を確立する方法は、図５の例に示すしきい値とヒステリシスによるものである。しきい値設定に用いるヒステリシスによりΔｆ調整の頻繁な変動が阻止される。
【００２６】
本発明の一実施例では、局部発振器に周波数オフセットを加えて、ＩＦフィルタ１１６の傘縁部が適当な側波帯上の第２隣接部分を抑制するように中間周波数信号を変化させる。これにより第２隣接干渉波がＩＦフィルタの停止バンドに事実上配置されるが、その結果生じる周波数オフセットはその後の信号処理のために望ましいものではない。この周波数オフセットは、ダウンコンバータプロセス後のデジタル周波数トラッキングの離調を同じ（負の）周波数オフセットだけオフセットすると除去することができる。デジタル数値制御型発振器は既に以前の受信機設計に存在するため、この受信機にハードウェアのコストは追加されない。オフセットによるＩＦの同調により「よい方の」側波帯が広い帯域幅を得ることができるが、これが動的レンジの問題を惹き起こす可能性は少ない。これは、対象となる信号の両側に非常に強力な第２隣接信号が同時に存在する可能性が非常に小さいからである。ＩＢＯＣ ＤＡＢ受信機は第２の大きな隣接干渉波の存在を検知し、適当なＩＦフィルタリングを行う。
【００２７】
大きな干渉波の存在は、所望信号のレベルを測定することにより検知可能である。そのレベルが自動利得制御により設定される予想レベルより有意に低い場合、大きな干渉波が存在する可能性がある。意図的な地理的保護により大きな干渉波が第１隣接信号である可能性は非常に少ない。非常に大きな第１隣接信号（−２０ｄＢ Ｄ／Ｕまたはそれより悪い）はいずれにしても復元不可能である。第３の隣接する干渉波はフィルタのパスバンドをはずれている。そのため、大きな干渉波は第２隣接信号であると仮定される。検知アルゴリズムは、第２の隣接するデジタル側波帯の大きなパワーの存在を検知できる。この検知アルゴリズムはまた、大きな干渉波が上方の第２隣接信号であるかまたは下方の第２隣接信号であるかを判定する。周波数オフセット制御信号は、誤検知を阻止するために、適当なフィルタリング及び恐らくは干渉波の相対的パワーのヒステリシスの後に発生させる。この制御信号は、ブロック１２０のデジタル局部発振器を反対方向に１００ｋＨｚだけオフセットさせながら局部発振器１１２を適当な方向に１００ｋＨｚだけ離調させるように指示して、デジタルダウンコンバータから得られるデジタル信号出力が依然としてベースバンドに現れるようにする。
【００２８】
本発明をその好ましい実施例であると考えられる例に関連して説明したが、当業者には頭書の特許請求の範囲に記載された本発明の範囲から逸脱することなく図示説明した実施例の種々の変形例及び設計変更が可能であることがわかるであろう。
【図面の簡単な説明】
【００２９】
【図１】ハイブリッドＦＭ ＤＡＢスペクトルの概略図である。
【図２】対象となる信号に対して−６ｄＢの第１の隣接する信号を示す干渉シナリオの概略図である。
【図３】対象となる信号に対する＋２０ｄＢの第２の隣接する信号を示す干渉シナリオの概略図である。
【図４】本発明に従って構成された受信機の機能ブロック図である。
【図５】図４の受信機の周波数オフセット制御を示す機能ブロック図である。
【図１】
2005524327.tif 000003
【図２】
2005524327.tif 000004
【図３】
2005524327.tif 000005
【図４】
2005524327.tif 000006
【図５】
2005524327.tif 000007
【国際調査報告】
2005524327.tif 000008